【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
便房の出入口に配したドアと、前記便房の室外に配置されて前記ドアの開閉を操作する外側操作部と、前記便房の室内に配置されて前記ドアの開閉を操作する内側操作部と、前記外側操作部と前記内側操作部からの開信号及び閉信号に基づいて駆動装置を制御してドアを開閉させる駆動用コントローラと、音声案内装置とを備え、
前記音声案内装置は、複数言語の案内メッセージを状況別に記憶させた記憶部と、前記記憶部内の前記案内メッセージを適時状況別に選択する音声コントローラと、選択された前記案内メッセージを発声するスピーカとを備えたことを特徴とするトイレ用自動ドアシステム。
【請求項２】
前記外側操作部と前記内側操作部の特定部を点灯もしくは点滅させて次の操作を指示する視覚による操作アシスト機能を有することを特徴とする請求項１に記載のトイレ用自動ドアシステム。
【請求項３】
前記音声案内装置が、選択された前記案内メッセージを複数言語で順次に発声させることを特徴とする請求項１又は２に記載のトイレ用自動ドアシステム。
【請求項４】
前記音声案内装置が、選択された前記案内メッセージを複数言語で重複状に発声させることを特徴とする請求項１又は２に記載のトイレ用自動ドアシステム。
【請求項５】
前記案内メッセージは、前記外側操作部と前記内側操作部の操作を促す操作案内のメッセージを含み、
前記音声案内装置は、前記操作案内のメッセージを複数言語で順次に発声させ、それでも前記操作が行なわれないとき、前記操作案内のメッセージを再度複数言語で順次に発声させることを特徴とする請求項３に記載のトイレ用自動ドアシステム。
【請求項６】
前記案内メッセージは、閉じた前記ドアが施錠されたことを知らせる施錠確認のメッセージを含み、
前記音声案内装置は、前記施錠確認のメッセージを１回だけ複数言語で順次に発声させることを特徴とする請求項３に記載のトイレ用自動ドアシステム。
【請求項７】
前記案内メッセージは、非常通報されたことを確認させる非常通報確認のメッセージを含み、
前記音声案内装置は、前記非常通報確認のメッセージを繰り返し複数言語で順次に発声させることを特徴とする請求項３に記載のトイレ用自動ドアシステム。
【請求項８】
前記案内メッセージは、ドア開閉時に注意を促す注意喚起のメッセージを含み、
前記音声案内装置は、前記注意喚起のメッセージを所定の回数だけ複数言語で順次に発声させることを特徴とする請求項３に記載のトイレ用自動ドアシステム。
【請求項９】
前記案内メッセージの複数言語が、少なくとも日本語、英語、中国語、および韓国語のうちの２つを含む請求項１から８の何れか１項記載のトイレ用自動ドアシステム。
【請求項１０】
前記案内メッセージの複数言語が、４ヶ国語以上を含む請求項５から８の何れか１項に記載のトイレ用自動ドアシステム。
【請求項１１】
前記案内メッセージの複数言語が、日本語、英語、中国語、および韓国語を含む請求項１０に記載のトイレ用自動ドアシステム。
【請求項１２】
前記便房内で緊急呼出スイッチが押され非常通報された場合、前記音声案内装置が前記非常通報確認のメッセージを発声させることを特徴とする請求項７に記載のトイレ用自動ドアシステム。
【請求項１３】
前記非常通報確認のメッセージは、係員が来ることを利用者に伝えるメッセージを含むことを特徴とする請求項１２に記載のトイレ用自動ドアシステム。
【請求項１４】
前記便房の室外に接近者を検知する近接センサが配設され、待機状態において前記近接センサが接近者を検知するまでは前記案内メッセージは発声されず、前記近接センサが接近者を検知すると所定の前記案内メッセージが発声されることを特徴とする請求項１に記載のトイレ用自動ドアシステム。
【請求項１５】
前記スピーカは前記便房の室内と室外から聞き取れるように、間口上部の無目内に１個配設されていることを特徴とする請求項１に記載のトイレ用自動ドアシステム。
【請求項１６】
前記スピーカは前記便房の室内と室外に２個配設されていることを特徴とする請求項１に記載のトイレ用自動ドアシステム。
【請求項１７】
前記外側操作部の近傍に、音声入力部および言語判別部が配設され、前記音声入力部および前記言語判別部が前記音声コントローラに接続され、
前記言語判別部が前記音声入力部に入力された音声の言語を判別したとき、前記音声案内装置が、前記案内メッセージを判別した前記言語で発声させることを特徴とする請求項１に記載のトイレ用自動ドアシステム。
【請求項１８】
前記外側操作部に言語選択部が付設され、前記言語選択部が操作されたとき、前記音声案内装置が、前記案内メッセージを選択された言語で発声させることを特徴とする請求項１に記載のトイレ用自動ドアシステム。
【請求項１９】
利用者が前記便房内に入り長時間経過したことを検知する長時間タイマーがさらに配設され、
前記音声案内装置は、前記長時間タイマーが検知すると、前記長時間タイマーの検知に対応して選択された前記案内メッセージを複数言語で順次に発声させることを特徴とする請求項３に記載のトイレ用自動ドアシステム。
【請求項２０】
便房の出入口に配したドアと、前記便房の室外に配置されて前記ドアの開閉を操作する外側操作部と、前記便房の室内に配置されて前記ドアの開閉を操作する内側操作部と、前記外側操作部と前記内側操作部からの開信号及び閉信号に基づいて駆動装置を制御してドアを開閉させる駆動用コントローラとを備えたトイレ用自動ドアに用いられる音声案内装置であって、
複数言語の案内メッセージを状況別に記憶させた記憶部と、
前記記憶部内の前記案内メッセージを適時状況別に選択する音声コントローラと、
前記音声コントローラにより選択された前記案内メッセージを発声するスピーカと
を備えたことを特徴とする音声案内装置。
【請求項２１】
便房の出入口に配したドアと、前記便房の室外に配置されて前記ドアの開閉を操作する外側操作部と、前記便房の室内に配置されて前記ドアの開閉を操作する内側操作部と、前記外側操作部と前記内側操作部からの開信号及び閉信号に基づいて駆動装置を制御してドアを開閉させる駆動用コントローラとを備えたトイレ用自動ドアにおける音声案内方法であって、
記憶部が、複数言語の案内メッセージを状況別に記憶し、
音声コントローラが、前記記憶部内の前記案内メッセージを適時状況別に選択し、
スピーカが、前記音声コントローラにより選択された前記案内メッセージを発声する
ことを特徴とする音声案内方法。
【手続補正２】
【補正対象書類名】明細書
【補正対象項目名】発明の名称
【補正方法】変更
【補正の内容】
【発明の名称】トイレ用自動ドアシステム、音声案内装置、音声案内方法
【手続補正３】
【補正対象書類名】明細書
【補正対象項目名】０００１
【補正方法】変更
【補正の内容】
【０００１】
本発明はトイレ用自動ドアシステム、詳しくは病院や空港あるいは駅構内などに設置され「多目的トイレ」、「誰でもトイレ」と称されるトイレに構築される自動ドアシステム、音声案内装置、音声案内方法に関する。
【手続補正４】
【補正対象書類名】明細書
【補正対象項目名】０００６
【補正方法】変更
【補正の内容】
【０００６】
斯る本発明のトイレ用自動ドアシステムは、少なくとも、以下の構成を具備するものである。
トイレ用自動ドアシステムは、便房の出入口に配したドアと、前記便房の室外に配置されて前記ドアの開閉を操作する外側操作部と、前記便房の室内に配置されて前記ドアの開閉を操作する内側操作部と、前記外側操作部と前記内側操作部からの開信号及び閉信号に基づいて駆動装置を制御してドアを開閉させる駆動用コントローラと、音声案内装置とを備え、前記音声案内装置は、複数言語の案内メッセージを状況別に記憶させた記憶部と、前記記憶部内の前記案内メッセージを適時状況別に選択する音声コントローラと、選択された前記案内メッセージを発声するスピーカとを備えたことを特徴とする。
【手続補正５】
【補正対象書類名】明細書
【補正対象項目名】００１３
【補正方法】変更
【補正の内容】
【００１３】
さらに、他の態様として、上記便房の外側操作部の近傍の壁面に接近する通行者を検知する近接センサを配設し、その近接センサの検知動作により案内メッセージの第一声が発声されるようにする。
この態様によれば、通行者がいない場合の周辺の騒音防止を図り、設置場所に応じた適時の音声案内を発声するシステムを提供する。
また、本発明の音声案内装置は、便房の出入口に配したドアと、前記便房の室外に配置されて前記ドアの開閉を操作する外側操作部と、前記便房の室内に配置されて前記ドアの開閉を操作する内側操作部と、前記外側操作部と前記内側操作部からの開信号及び閉信号に基づいて駆動装置を制御してドアを開閉させる駆動用コントローラとを備えたトイレ用自動ドアに用いられる音声案内装置であって、複数言語の案内メッセージを状況別に記憶させた記憶部と、前記記憶部内の前記案内メッセージを適時状況別に選択する音声コントローラと、前記音声コントローラにより選択された前記案内メッセージを発声するスピーカとを備えたことを特徴とする。
また、本発明の音声案内方法は、便房の出入口に配したドアと、前記便房の室外に配置されて前記ドアの開閉を操作する外側操作部と、前記便房の室内に配置されて前記ドアの開閉を操作する内側操作部と、前記外側操作部と前記内側操作部からの開信号及び閉信号に基づいて駆動装置を制御してドアを開閉させる駆動用コントローラとを備えたトイレ用自動ドアにおける音声案内方法であって、記憶部が、複数言語の案内メッセージを状況別に記憶し、音声コントローラが、前記記憶部内の前記案内メッセージを適時状況別に選択し、スピーカが、前記音声コントローラにより選択された前記案内メッセージを発声することを特徴とする。
【手続補正６】
【補正対象書類名】明細書
【補正対象項目名】００１４
【補正方法】変更
【補正の内容】
【００１４】
本発明によれば、日本語のみならず、それ以外の外国語を含めた多言語でもってトイレの利用案内、操作案内等を音声案内するので、多言語社会に対応して利用者の利便性を高めたトイレ用の自動ドアシステム、音声案内装置、音声案内方法が提供される。
【手続補正７】
【補正対象書類名】明細書
【補正対象項目名】００１９
【補正方法】変更
【補正の内容】
【００１９】
なお、前記外側操作部６及び内側操作部７は、一般的な押釦式スイッチとすることもよいが、特開２０１３−６０７９９号公報に例示するように、前記外側操作部６の外開スイッチ６ａと外閉スイッチ６ｂ、内側操作部７の内開スイッチ７ａと内閉スイッチ７ｂにそれぞれ色彩の異なる着色部を形成している。それによって、それら着色部を操作案内コントローラ８の制御に基づき点灯又は点滅させ、次に操作すべき部分を指示する操作アシスト機能を付与している。
また、図１に例示する外側操作部６及び内側操作部７は、図示の都合上で各スイッチを横型配置としているが、図２に示すように縦型配置とすることが好ましい。
【手続補正８】
【補正対象書類名】明細書
【補正対象項目名】００２２
【補正方法】変更
【補正の内容】
【００２２】
スピーカ１１の位置は図示省略するが、便房１の間口上部の無目内に取り付けて案内メッセージが便房１の内外にそれぞれ聞き取れるようにする。
記憶部１２（多言語記憶部）は、ドア２の開閉状態、内外操作部６，７のスイッチ操作状況、案内目的などに応じた案内メッセージが多言語で種別音声ごとに予め録音しファイルとして登録されたものである。
【手続補正９】
【補正対象書類名】図面
【補正対象項目名】図４
【補正方法】変更
【補正の内容】
【図４】
2016084616.tif 000001